(57)【特許請求の範囲】
【請求項１】
躯体開口部の左右に設けたガイドレールに左右両端部が嵌合案内されて開閉するシャッターカーテンに設けた施錠具を、躯体側に設けた錠受け具に係脱自在に係合してシャッターカーテンの施錠−解錠をするにあたり、前記施錠具を、錠受け具に係合する施錠姿勢および係合解除する解錠姿勢に回転変位する第一回転体と、第一回転体の回転変位に伴い逆方向に回転して第一回転体の各姿勢を保持する第二回転体と、これら第一、第二回転体とのあいだに介装され、第一回転体を解錠姿勢側に向けて付勢する弾機とで構成し、第一回転体の施錠姿勢から解錠姿勢への変姿は、第二回転体の強制的な回転変位に基づいてなされるように構成すると共に、第二回転体に作動レバーを一体形成し、該作動レバーを第一回転体の回転変位に伴い上下方向に変位する一方、施錠具は、一半部が座板屋外側面部の左右端部から外方に露出し、他半部が座板屋外側面部に固定される状態で取付け部に配されていてシャッターカーテン最下端の座板に設けられるものとし、第二回転体の作動レバーは、座板に設けた操作バーの上動に伴い上方変位するように構成し、操作バーを、座板に対し上下方向に変位して第二回転体の作動レバーを上方変位せしめる上下作動バーと、該上下作動バーの上方に連結され、屋内外方向に揺動することに基づいて上下作動バーを上動せしめる揺動バーとで構成するにあたり、上下作動バーは、座板の左右方向長さよりは短く施錠具の他半部には達するがガイドレールに嵌合しない長さに設定され、下方に向けて延出し、座板屋内側面に形成の支持溝に嵌合支持されるべく左右方向幅狭な下片部と、該下片部の上端縁から屋内側方向に延出し、施錠具の他半部に達する長さに形成された突出片部と、該突出片部の屋内側端縁に続いて上方に延出する上片部とを備えて、側面視で略クランク状に一体形成されると共に、上片部の上端部には断面円形状の枢支部が形成され、下片部の上端部には施錠具作動レバーの下方に位置する作動部が形成されていて、下片部を前記支持溝に嵌合させることで座板から上下移動の支持を受けるように設定されたものであり、揺動バーは、座板の屋内側面部と同様の左右幅寸法に形成され、上下作動バー上片部の枢支部に揺動自在に外嵌する第一枢支凹部が屋内側端縁に形成された突出片部と、該突出片部の屋外側端部から屋内側に向けて突出する操作片部と、突出片部を上片として下端ほど幅狭な矩形状となり揺動バーのウエイトとして機能して操作バーを解錠姿勢側に変位させるためのウエイト片部と、突出片部の屋外側端縁部に形成され、座板屋内側面に形成の枢支部に外嵌することで、該枢支部を支点として座板に対して上下揺動自在に連結された第二枢支凹部とを備え、前記第一枢支凹部が上下作動バー枢支部に外嵌することで、該枢支部を支点として上下作動バーに対して上下揺動自在に連結されたものであり、操作片部を座板枢支部を支点として屋外側に向けて揺動したとき、若しくは左右ガイドレールにそれぞれ設けた解錠操作具の何れか一方の上動操作に基づき、上下作動バーが左右方向全長に亘る一体的な揺動に連動して上下作動バーが座板の屋内側面に沿って長手方向全長に亘って上動し、これに基づいて作動部が操作具作動レバーに下側から干渉して解錠姿勢に変姿するように構成したことを特徴とする建築用シャッター装置における施錠装置。
【請求項２】
請求項１において、解錠操作具の操作部はガイドレールの上下方向中間部に配されていることを特徴とする建築用シャッター装置における施錠装置。
【発明の詳細な説明】
【０００１】
【発明の属する技術分野】
本発明は、建築物の開口部や出入り口部に設けられる建築用シャッター装置における施錠装置の技術分野に属するものである。
【０００２】
【従来の技術】
一般に、この種建築用シャッター装置のなかには、シャッターカーテンに設けた施錠具を、躯体側に設けた施錠受け具に係脱自在に係合することで、シャッターカーテンの施錠−解錠をするように構成したものがある。このようなものにおいて、シャッターカーテンの閉鎖作動に伴い、施錠具が躯体側の施錠受け具に自動施錠されるように構成することが提唱され、そのようなものとしては、例えば特開平８-１０９７８０号公報のようなものが知られている。このものは、シャッターカーテン最下端部の座板に、自然状態で下方が開口する係合溝が形成されたラッチ体（回転体）を枢支する一方、ガイドレールの下方に前後方向に伸長するラッチ掛り（錠受け具）を設け、シャッターカーテンの閉鎖作動にあわせて、自然状態（解錠姿勢）のラッチ体が下降することにより、ラッチ体の係合溝がラッチ掛りに係合して回転し、係合溝が溝開口を上側に向ける施錠姿勢に回転変姿するように構成されており、これによって、シャッターカーテンを自動的に施錠するようにしている。
【０００３】
【発明が解決しようとする課題】
前記従来のものでは、座板に左右方向に長い操作バーが設けられており、ラッチ体が施錠姿勢になることに伴いラッチ体の施錠姿勢を保持する構成となっている。しかるに、このものでは、ラッチ体は単に自重垂下する構成であるため、施錠姿勢から解錠姿勢への変姿は、ラッチ体の上動に伴いラッチ体係合溝内のラッチ掛りにより回転することによりなされる構成となっている。そして、シャッターカーテンの施錠状態を解除してシャッターカーテンを開放する場合では、操作バーを起立状に操作することによりラッチ体の施錠姿勢保持を解除してラッチ体が回動可能な状態とし、該起立状態の操作バーを持ったままシャッターカーテンを開放作動しなければならない。このため、操作バーの起立状態によっては、施錠具と錠受け具との係合が解除されず引っかかってしまうことも想定され、操作性に劣るという問題がある。さらにこのものでは、ラッチ体の姿勢変姿は、ラッチ掛りに係合するラッチ体を上下方向に移動することに基づいてなされる構成であって、ラッチ体自体を各姿勢に保持するような構成ではないため、それぞれの姿勢が不安定になってしまうという問題もあり、これらに本発明が解決しようとする課題があった。
【０００４】
【課題を解決するための手段】
本発明は、上記の如き実情に鑑み、これらの課題を解決することを目的として創作されたものであって、請求項１の発明は、躯体開口部の左右に設けたガイドレールに左右両端部が嵌合案内されて開閉するシャッターカーテンに設けた施錠具を、躯体側に設けた錠受け具に係脱自在に係合してシャッターカーテンの施錠−解錠をするにあたり、前記施錠具を、錠受け具に係合する施錠姿勢および係合解除する解錠姿勢に回転変位する第一回転体と、第一回転体の回転変位に伴い逆方向に回転して第一回転体の各姿勢を保持する第二回転体と、これら第一、第二回転体とのあいだに介装され、第一回転体を解錠姿勢側に向けて付勢する弾機とで構成し、第一回転体の施錠姿勢から解錠姿勢への変姿は、第二回転体の強制的な回転変位に基づいてなされるように構成すると共に、第二回転体に作動レバーを一体形成し、該作動レバーを第一回転体の回転変位に伴い上下方向に変位する一方、施錠具は、一半部が座板屋外側面部の左右端部から外方に露出し、他半部が座板屋外側面部に固定される状態で取付け部に配されていてシャッターカーテン最下端の座板に設けられるものとし、第二回転体の作動レバーは、座板に設けた操作バーの上動に伴い上方変位するように構成し、操作バーを、座板に対し上下方向に変位して第二回転体の作動レバーを上方変位せしめる上下作動バーと、該上下作動バーの上方に連結され、屋内外方向に揺動することに基づいて上下作動バーを上動せしめる揺動バーとで構成するにあたり、上下作動バーは、座板の左右方向長さよりは短く施錠具の他半部には達するがガイドレールに嵌合しない長さに設定され、下方に向けて延出し、座板屋内側面に形成の支持溝に嵌合支持されるべく左右方向幅狭な下片部と、該下片部の上端縁から屋内側方向に延出し、施錠具の他半部に達する長さに形成された突出片部と、該突出片部の屋内側端縁に続いて上方に延出する上片部とを備えて、側面視で略クランク状に一体形成されると共に、上片部の上端部には断面円形状の枢支部が形成され、下片部の上端部には施錠具作動レバーの下方に位置する作動部が形成されていて、下片部を前記支持溝に嵌合させることで座板から上下移動の支持を受けるように設定されたものであり、揺動バーは、座板の屋内側面部と同様の左右幅寸法に形成され、上下作動バー上片部の枢支部に揺動自在に外嵌する第一枢支凹部が屋内側端縁に形成された突出片部と、該突出片部の屋外側端部から屋内側に向けて突出する操作片部と、突出片部を上片として下端ほど幅狭な矩形状となり揺動バーのウエイトとして機能して操作バーを解錠姿勢側に変位させるためのウエイト片部と、突出片部の屋外側端縁部に形成され、座板屋内側面に形成の枢支部に外嵌することで、該枢支部を支点として座板に対して上下揺動自在に連結された第二枢支凹部とを備え、前記第一枢支凹部が上下作動バー枢支部に外嵌することで、該枢支部を支点として上下作動バーに対して上下揺動自在に連結されたものであり、操作片部を座板枢支部を支点として屋外側に向けて揺動したとき、若しくは左右ガイドレールにそれぞれ設けた解錠操作具の何れか一方の上動操作に基づき、上下作動バーが左右方向全長に亘る一体的な揺動に連動して上下作動バーが座板の屋内側面に沿って長手方向全長に亘って上動し、これに基づいて作動部が操作具作動レバーに下側から干渉して解錠姿勢に変姿するように構成したことを特徴とする建築用シャッター装置における施錠装置である。
そして、このようにすることにより、第一回転体の施錠姿勢から解錠姿勢への変姿を、錠受け具と干渉することなく行うことができて、確実な解錠操作ができる。
請求項２の発明は、請求項１において、解錠操作具の操作部はガイドレールの上下方向中間部に配されていることを特徴とする建築用シャッター装置における施錠装置である。
このようにすることによって、開閉操作がしやすくなって操作性に優れたものにできる。
【０００５】
【発明の実施の形態】
次に、本発明の第一の実施の形態を図１〜図９の図面に基づいて説明する。
図面において、１は住宅の掃出し窓の屋外側に取付けられるシャッター装置のシャッターカーテンであって、該シャッターカーテン１は、複数のスラット１ａを連装して構成され、最下端には座板２が連結されたものに構成されている。前記シャッターカーテン１の上端部は、躯体開口部上方に設けたシャッターケース３に回動自在に軸承された巻取りドラム４に連結されている。また、開口部の左右両側部には左右一対のガイドレール５が配設されており、シャッターカーテン１の左右両側部がそれぞれ内嵌されてシャッターカーテン１の開閉移動をガイド（案内）するように設定されている。そして、シャッターカーテン１は、巻取りドラム４の回転に伴い、巻取りドラム４に巻取られて開口部の開放をする開放姿勢と、巻取りドラム４から巻出されて開口部の閉鎖をする閉鎖姿勢とのあいだを開閉移動するように設定されている。
【０００６】
ここで、本実施の形態のシャッター装置は手動式であって、巻取りドラム４にはバランス弾機４ａが内装されていて、シャッターカーテン１が閉鎖作動をすることに伴い、シャッターカーテン１を開放する方向の蓄勢力（付勢力）が蓄勢されるように設定されている。
また、シャッター装置の屋内側には左右一対の引き戸式のガラス戸６が設けられており、シャッター装置の操作は、左右何れか一方のガラス戸６を開放した状態において行うように設定されている。
【０００７】
さて、前記左右一対のガイドレール５は、シャッターカーテン１の左右側縁部を内嵌するガイド溝５ａの下端部に位置して、施錠装置Ｒを構成する錠受け具７が一体的に設けられている。前記錠受け具７は、屋内外一対の支持片部７ａと、これら支持片部７ａに支架されて屋内外方向（ガイド溝５ａを横切る方向）を向く施錠ピン７ｂとを備えて構成されている。
【０００８】
前記座板２は、中空部２ａを形成するべく屋内外一対の面部２ｂ、２ｃを備えて構成されているが、前記屋内側面部２ｂは、左右端部が屋外側面部２ｃよりも短い寸法に設定され、該屋内側面部２ｂの切欠かれた部位が、後述する施錠具８を取付けるための取付け部２ｄに構成されている。また、前記屋内側面部２ｂの上部には、屋内側に突出する左右方向に長い突片２ｅが形成され、該突片２ｅの突出先端に円柱状の枢支部２ｆが一体形成されている。さらに、屋内側面部２ｂには、下端部に位置して上方が開口する支持溝２ｇが一体形成されている。尚、２ｈは屋外方向に突出する水切り板である。
【０００９】
そして、座板２の左右の取付け部２ｄに、施錠装置Ｒを構成する施錠具８がそれぞれ設けられるが、これら各施錠具８は、一半部が座板屋外側面部２ｃの左右端部から外方に露出し、他半部が座板屋外側面部２ｄに固定される状態で取付け部２ｄに配されている。そして、シャッターカーテン１側部をガイドレール５に嵌入させたとき、施錠具８の一半部はガイドレール５のガイド溝５ａ内に位置する位置関係に設定されている。
【００１０】
前記施錠具８は略矩形状のケース体８ａに内装され、ケース体８ａのガイドレール５側部位（前記一半部）には第一回転体９が支軸９ａを介して回動自在に内装支持されている。前記第一回転体９には、ガイドレール５側を向く下方が開口するよう支軸９ａ側に向けて傾斜状に切欠かれた係合凹部（係合溝）９ｂが形成されている。そして、該係合凹部９ｂを構成する上側の片部はガイドレール５側の施錠ピン７ａに上側から係合する長さに設定された長片部９ｃに形成され、係合凹部９ｂを構成する下側の片部は施錠ピン７ａに干渉しない長さに設定された短片部９ｄに形成されている。さらに、第一回転体９の外周面には外径側に突出する上下の段差部９ｅ、９ｆが形成され、これら上下の段差部９ｅ、９ｆのあいだにカム面９ｇが形成されている。
尚、ケース体８ａには、第一回転体９の係合凹部９ｂ対向部位に位置して下方が開口する係合凹部８ｂが切欠かれている。そして、後述するように、シャッターカーテン１とともに施錠具８が下動する場合に、該下動する施錠具８の第一回転体係合凹部９ｂに係合する施錠ピン７ａが前記係合凹部８ｂに沿って相対上動するように設定されている。
【００１１】
また、座板取付け部５ｄ側に位置するケース体８ａの他半部側には、第二回転体１０が支軸１０ａを介して回動自在に内装支持されている。そして、第二回転体１０には下方に向けて突出する係止片部１０ｂが形成されており、該係止片部１０ｂを、第二回転体９の上下側何れか一方の段差部９ｅまたは９ｆに係脱自在に係止させるようにして第一回転体９に連結組込みされている。そして、係止片部１０ｂが何れかの段差部９ｅ、９ｆに係止することにより、第一回転体９の矢印反Ｘ方向（反時計回り方向）への回転を規制するように設定されている。さらに、第二回転体１０にはケース体８ａから突出し屋内側に向けて伸長した突出片を備えた作動レバー１０ｃが折曲形成されている。
【００１２】
さらに、前記各第一、第二回転体９、１０とのあいだには板バネ（本発明の弾機に相当する）１１が介装されており、第一回転体９を矢印反Ｘ方向に、第二回転体１０を第一回転体９とは反対の矢印Ｘ方向に回転させるように付勢している。これによって、第一、第二回転体９、１０とは、第二回転体係止片部１０ｂが第一回転体９の上下の段差面部９ｅ、９ｆの何れかに弾圧状に係止する弾持状態で連動連結され、各姿勢が保持されるように設定されている。
そして、第一、第二回転体９、１０とは、図６（Ａ）に示すように、第二回転体係止片部１０ｂが第一回転体９の下側の段差部９ｆに係止する状態では、第二回転体作動レバー１０ｃが上方に位置し、第一回転体係合凹部９ｂの開口方向が斜め下方を向く姿勢となっており、該姿勢は、後述するように、施錠ピン７ａとの係合が解除される解錠姿勢に設定されている。
一方、図６（Ｃ）に示すように、第二回転体係止片部１０ｂが第一回転体９の上側の突部９ｅに係止する状態では、第二回転体作動レバー１０ｃが前記解錠姿勢のときよりもストロークＳ分だけ下位（水平状）に位置し、第一回転体係合凹部９ｂの開口方向が左右方向を向く姿勢となっており、該姿勢は、後述するように、施錠ピン７ａとの係合がなされる施錠姿勢に設定されている。
【００１３】
このように構成された施錠具８において、シャッターカーテン１が閉鎖作動して閉鎖姿勢に近付くと、解錠姿勢の第一回転体係合凹部９ｂを構成する長片部９ｃが施錠ピン７ａに上側から当接し、この状態となると、シャッターカーテン１のさらなる閉鎖作動により施錠ピン７ａが相対上動することによって、第一回転体９が板バネ１１の付勢力に抗して矢印Ｘ方向に強制的に回転変位し、係合凹部９ｂ内に施錠ピン７ａが位置する状態で係合凹部９ｂが左右方向を向く施錠姿勢に自動的に変姿し、これによって、シャッターカーテン１の自動施錠がなされるように設定されている。このとき、第二回転体１０は、第一回転体９の矢印Ｘ方向の回転に伴い、係止片部１０ｂが第一回転体９の下側段差部９ｆに係止する状態からカム面９ｇを摺動し、該カム面９ｇに続く上側段差部９ｅに係止するようになっており、この施錠姿勢において第一回転体９の姿勢保持（弾持）を行うように設定されている。
これに対し、前記施錠姿勢に保持される施錠具８において、ストロークＳだけ下方に変位した第二回転体作動レバー１０ｃを元位置に復帰するべく強制的に上方に変位（上方揺動）させて、第二回転体１０を板バネ１１の付勢力に抗して矢印反Ｘ方向に強制回転させた場合、第二回転体係止片部１０ｂの第一回転体上側段差部９ｅとの係止が解除され、第一回転体９は板バネ１１の付勢力を受けて矢印反Ｘ方向に回転変位し、係合凹部９ｂの開口が下方を向いて施錠ピン７ａを解除可能な解除姿勢に変姿し、これによって、シャッターカーテン１の解錠がなされるように設定されている。このとき、第二回転体１０は、係止片部１０ｂが第一回転体下側突部９ｆと係合することにより、第一回転体９を解除姿勢に姿勢保持するように設定されている。
【００１４】
１２は座板２の屋内側面に左右方向に長く設けられる解錠用の操作バーであって、該操作バー１２は、座板２の屋内側に突出する施錠具８の第二回転体作動レバー（以降、施錠具作動レバー）１０ｃを上下変位させるべく上下移動する上下作動バー１３と、該上下作動バー１３の上端部に連結され、上下作動バー１３を上動させるべく屋内側へ揺動する揺動バー１４とを備えて構成されている。
つまり、上下作動バー１３は、座板２の左右方向長さより僅かに短い寸法に形成され、前記施錠具８の他半部に達する長さではあるが、ガイドレール５に嵌合しない長さに設定されている。そして、上下作動バー１３は、下方に向けて延出し、座板屋内側面２ｂに形成された支持溝２ｇに嵌合支持されるべく左右方向幅狭な下片部１３ａと、該下片部１３ａの上端縁から屋内側方向に延出し、施錠具８の他半部に達する長さに形成された突出片部１３ｂと、該突出片部１３ｂの屋内側端縁に続いて上方に延出する上片部１３ｃとを備えて、側面視で略クランク状に一体形成されている。そして、上下作動バー１３は、下片部１３ａを前記支持溝２ｇに嵌合させることで座板２の支持を受けるように設定されている。尚、上片部１３ｃの上端縁には断面円形状の枢支部１３ｄが形成されている。
【００１５】
一方、揺動バー１４は、座板２の屋内側面部２ｂと同様の左右幅寸法に形成されたものとなっている。前記揺動バー１４は、上下作動バー上片部１３ｃの枢支部１３ｄに揺動自在に外嵌する第一枢支凹部１４ａが屋内側端縁に形成された突出片部１４ｂと、該突出片部１４ｂの屋外側端部から屋内側に向けて突出する操作片部１４ｃと、突出片部１４ｂを上片として下端ほど幅狭な矩形状となり揺動バー１４のウエイトとして機能するためのウエイト片部１４ｄとを備えて構成されている。そして、揺動バー１４は、突出片部１４ｂの屋外側端縁部に形成された第二枢支凹部１４ｅを座板屋内側面２ｂに形成された枢支部２ｆに外嵌することで、該枢支部２ｆを支点として座板２に対して揺動自在に連結されており、さらに、枢支凹部１４ａを前記上下作動バー枢支部１３ｄに外嵌せしめることで、該枢支部１３ｄを支点として上下作動バー１３に対して揺動自在に連結されている。このように連結された操作バー１２は、上側の揺動バー１４の操作片部１４ｃが座板枢支部２ｆを支点として屋外側に向けて揺動したとき、該揺動は左右方向全長に亘って一体的になされることから、これに連動する下側の上下作動バー１３は、座板２の屋内側面に沿って長手方向全長に亘って上動する連動関係となるように設定されている。
【００１６】
そして、操作バー１２は、揺動バー１４が自重で垂下する自然状態では、図３（Ａ）に示すように、揺動バーウエイト片部１４ｄを構成する屋外側面部１４ｆが座板２屋内側面に当接しており、操作片部１４ｃは屋内側方向に傾斜状に突出している。このとき、上下作動バー１３は、下片部１３ａが座板支持溝２ｇに嵌入して座板２からの支持を受ける状態となっており、上下作動バー下片部１３ａの上端縁部、即ち、突出片部１３ｂの屋外側端縁部に位置する作動部１３ｅが施錠姿勢の施錠具作動レバー１０ｃよりも下方に位置して干渉することがなく、この自然状態における操作バー１２の姿勢が非作用姿勢に設定されている。
これに対し、後述する操作に基づいて、図３（Ｂ）に示すように、上下作動バー１３が所定寸法（ストロークＳ以上）を上動させた場合、あるいは、屋内側に向けて突出する操作片部１４ｃを上方に向けて突出するように揺動させ、揺動バーウエイト片部１４ｄの屋外側面部１４ｆが座板２から離間するようにして上下作動バー１３を所定寸法（ストロークＳ以上）上動させた場合では、操作バー１２は作用姿勢となって、上下作動バー下片部１３ａの作動部１３ｅが施錠姿勢の施錠具作動レバー１０ｃをストロークＳだけ上動して、施錠具８を解錠姿勢に変姿させるように設定されている。尚、揺動バー１４の作用姿勢側における揺動規制は、操作片部１４ｃが座板屋内側面部２ｂに当接することでなされている。
【００１７】
さて、本実施の形態の左右ガイドレール５は、ガイド溝５ａの屋内側に下地枠５ｂがそれぞれ一体形成されており、これら下地枠５ｂ開口部内側面の上下方向中間部位に位置して、解錠操作具１５を構成する操作摘み１５ａがそれぞれ配されている。前記解錠操作具１５は、操作摘み１５ａと、該操作摘み１５ａの下端部に一体的に連結された上下方向に長い連結バー１５ｂと、連結バー１５ｂ下端部から開口部内側に向けて突出形成される解錠突部１５ｃとを備えて構成されており、前記解錠突部１５ｃの突出端部は、作動バー１２を構成する上下作動バー突出片部１３ｂの左右両端部と上下方向に対向する位置関係で設けられている。
【００１８】
そして、解錠操作具１５は、操作摘み１５ａを操作しない自然状態では、解錠突部１５ｃが開口部下端縁部となる躯体側に配設された水切り板１６上に自重で載って（当接して）おり、この自然状態では、解錠突部１５ｃと、全閉状態のシャッターカーテン１の座板２に配された作動バー１２を構成する上下作動バー突出片部１３ｂとは上下方向に近接対向する位置関係となっている（図３（Ａ）参照）。
この自然状態から、左右何れか一方のガイドレール５に取付けられた操作摘み１５ａを上側にスライド移動させて解錠操作具１５の解錠操作をした場合では（図３（Ｂ）参照）、左右一方の解錠突部１５ｃが上動して一方側の突出片部１３ｂを上動させるが、このとき、該上動力を一方側に受けた上側の揺動バー１４が全体として揺動変位することにより、上下作動バー１３の他方の突出片部１３ｂが上動せしめられ、もって、左右両端部に位置する施錠具８を両者共に解錠姿勢に変姿させるように設定されている。
【００１９】
このように、本実施の形態では、解錠操作具１５の操作に基づく解錠操作においては、左右方向一方の解錠操作具１５の操作に基づく上下作動バー１３の一方側における上動を、揺動バー１４を介することにより、他方の上下作動バー１３をも上動せしめて左右両方の施錠具８を解錠するように構成されている。また、操作バー１４の揺動操作に基づいて解錠する場合では、揺動バー操作片部１４ｃの左右方向何れの箇所において操作しても、揺動バー１４が一体に揺動して左右両方の施錠具８を解錠できるように設定されている。
尚、操作摘み１５ａの配設位置は、本実施の形態では、操作する人が起立した状態で最も操作しやすい位置と考えられる部位に設けられており、立ったままで操作できるようになっている。
【００２０】
因みに、このものでは、解錠操作具１５の操作摘み１５ａを上動操作した手がすぐに放れて、操作摘み１５ａが自重により下動した（自然状態に復帰した）ような場合でも、施錠具８の第一回転体係合凹部９ｂは下方を向く解錠姿勢に弾持されている。このため、予め操作摘み１５ａの操作により施錠具８の解錠をした後、シャッターカーテン１を開放操作することが可能となる。
尚、１７は施錠具８とともに座板２に取付けられるキャップであって、該キャップ１７は、揺動バー操作片部１４ｃの揺動作動が損なわれないためのプロテクターとなっている。
【００２１】
叙述の如く構成された本発明の実施の形態において、引き戸式のガラス戸６の屋外側に設けられた手動式のシャッター装置は、ガラス戸６を開放してシャッターカーテン１の下端部を引き下ろすことで開口部を閉鎖作動するが、この場合に、シャッターカーテン１は全閉状態となることに伴い、左右に配されたガイドレール５にそれぞれ設けた錠受け具７とシャッターカーテン１最下端の座板２の左右に設けた施錠具７とが自動的に係合して施錠状態となり、シャッターカーテン１は、下端部の左右両端部二箇所において躯体側に固定されて防犯性に優れたものとなっている。このものにおいて、施錠装置Ｒの解錠は、開口部の左右側部に位置するガイドレール５上下方向中間部に設けた解錠操作具１５の左右何れか一方の操作摘み１５ａを上動させること、または、揺動バー１４を揺動操作することに基づいてなされる。そしてこのとき、施錠具８は、第一回転体９が施錠姿勢と解錠姿勢とにそれぞれ保持される構成となっていて、解錠姿勢から施錠姿勢への変姿はシャッターカーテン１の閉作動に伴い自動的になされるが、施錠姿勢から解錠姿勢への変姿は、解錠操作具１５等の操作がなされて第二回転体作動レバー１０ｃを上方変位させることに伴い、板バネ１１の付勢力を受けて瞬時になされ、この解錠姿勢が保持される。このため、施錠具８の解錠を相対変位する施錠ピン７ａとの干渉によらず、ワンタッチで解錠姿勢とした後、閉鎖姿勢となっているシャッターカーテン１の開放作動を行うことができる。この結果、従来のもののように、シャッターカーテンの開放作動をする場合に、操作バーを操作しながらの開放作動が不要になって、操作性がよく、しかも、円滑、かつ、確実な解錠、開放作動を行うことができる。
【００２２】
さらにこのものでは、操作バー１２は、座板２に対し上下方向に作動する上下作動バー１３と、該上下作動バー１３に連動連結され、屋内外方向へ揺動する揺動バー１４とを備えて構成されている。このため、揺動バー１４の揺動操作をした場合は勿論、左右のガイドレール５に設けた解錠操作具１５のうち、左右一方の解錠操作具１５の操作摘み１５ａを上動させたような場合でも、上下作動バー１３の一方側の上方変位により屋内側へ揺動する揺動バー１４を介して、他方側の上下作動バー１３が強制上動し、左右両方向の施錠具８の解錠を行うことができる。これによって、座板２の左右両側に設けた施錠具８を左右何れか一方の解錠操作具１５の操作で解錠できることになって、さらに操作性が優れるうえ、円滑かつ確実に操作を行うことができる。
さらに、前記実施の形態では、操作摘み１５ａが操作者が立ったままで操作しやすい部位に設けられているため、一方のガラス戸６を僅かに開放して操作摘み１５ａを操作するだけの簡単な操作で解錠することができ、操作性に優れたものにできる。
【図面の簡単な説明】
【図１】シャッター装置の概略正面図である。
【図２】施錠状態における要部側面図である。
【図３】図３（Ａ）、（Ｂ）はそれぞれ施錠状態の施錠具を解錠操作具による解錠操作がなされる以前の状態の要部側面図、解錠操作具による解錠操作がなされた状態における要部側面図である。
【図４】図４（Ａ）、（Ｂ）はそれぞれ施錠状態における要部平面図、要部正面図である。
【図５】図５（Ａ）、（Ｂ）はそれぞれ座板に施錠具を取付けた状態の正面図、底面図である。
【図６】図６（Ａ）、（Ｂ）、（Ｃ）、（Ｄ）はそれぞれ施錠具の解錠姿勢を示す正面図、側面図、施錠具の施錠姿勢を示す正面図、側面図である。
【図７】図７（Ａ）、（Ｂ）、（Ｃ）はそれぞれ座板の一部切欠き正面図、側面図、底面図である。
【図８】図８（Ａ）、（Ｂ）はそれぞれ上下作動バーの側面図、正面図である。
【図９】図９（Ａ）、（Ｂ）はそれぞれ揺動バーの側面図、正面図である。
【符号の説明】
１    シャッターカーテン
２    座板
４ａ    バランス弾機
５    ガイドレール
７    錠受け具
７ｂ    施錠ピン
８    施錠具
９    第一回転体
１０    第二回転体
１０ｃ    作動レバー
１１    板バネ
１２    操作バー
１３    上下作動バー
１４    揺動バー
１５    解錠操作具
１５ａ    操作摘み
【図１】
0004106946.tif 000002
【図２】
0004106946.tif 000003
【図３】
0004106946.tif 000004
【図４】
0004106946.tif 000005
【図５】
0004106946.tif 000006
【図６】
0004106946.tif 000007
【図７】
0004106946.tif 000008
【図８】
0004106946.tif 000009
【図９】
0004106946.tif 000010